(57)【要約】【課題】製造の手間及びコストを低減する。【解決手段】鉄道車両１００の側面を構成する側構体１０１と、鉄道車両１００の屋根を構成する屋根構体１０２と、側構体１０１及び屋根構体１０２の少なくともいずれかと一体化しつつ鉄道車両１００の前後の方向Ｄに延在する補強部材１０３との結合を補強する鉄道車両用結合部材１であって、側構体１０１に接合される側構体接合部１１と、屋根構体１０２に接合される屋根構体接合部１２と、補強部材１０３に接合される補強部材接合部１３Ｌ，１３Ｒと、側構体接合部１１と屋根構体接合部１２と補強部材接合部１３Ｌ，１３Ｒとを互いに連結する連結部１４とを備え、側構体接合部１１と屋根構体接合部１２と補強部材接合部１３Ｒ，１３Ｌと連結部１４とは一枚の板材２０が屈曲されることにより形成されているため、製造の手間及びコストを低減することができる。【選択図】図１
2020097264.tif 000002
【特許請求の範囲】
【請求項１】
鉄道車両の側面を構成する側構体と、前記鉄道車両の屋根を構成する屋根構体と、前記側構体及び前記屋根構体の少なくともいずれかと一体化しつつ前記鉄道車両の前後の方向に延在する補強部材との結合を補強する鉄道車両用結合部材であって、
前記側構体に接合される側構体接合部と、
前記屋根構体に接合される屋根構体接合部と、
前記補強部材に接合される補強部材接合部と、
前記側構体接合部と、前記屋根構体接合部と、前記補強部材接合部とを互いに連結する連結部と、
を備え、
前記側構体接合部と、前記屋根構体接合部と、前記補強部材接合部と、前記連結部とは、一枚の板材が屈曲されることにより形成されている、鉄道車両用結合部材。
【請求項２】
前記側構体接合部と、前記屋根構体接合部と、前記補強部材接合部と、前記連結部とは、一枚の板材が一度に屈曲されることにより形成されている、請求項１に記載の鉄道車両用結合部材。
【請求項３】
前記側構体接合部と、前記屋根構体接合部と、前記補強部材接合部と、前記連結部とは、線対称な一枚の板材が屈曲されることにより形成されている、請求項１又は２に記載の鉄道車両用結合部材。
【請求項４】
前記鉄道車両の前後の方向に互いに異なる位置で前記補強部材に接合される一対の前記補強部材接合部を備えた、請求項１〜３のいずれか１項に記載の鉄道車両用結合部材。
【請求項５】
鉄道車両の側面を構成する側構体と、前記鉄道車両の屋根を構成する屋根構体と、前記側構体及び前記屋根構体の少なくともいずれかと一体化しつつ前記鉄道車両の前後の方向に延在する補強部材との結合を補強する鉄道車両用結合部材の製造方法であって、
前記側構体に接合される側構体接合部と、前記屋根構体に接合される屋根構体接合部と、前記補強部材に接合される補強部材接合部と、前記側構体接合部と前記屋根構体接合部と前記補強部材接合部とを互いに連結する連結部とを、一枚の板材を屈曲することにより形成する、鉄道車両用結合部材の製造方法。
【請求項６】
前記側構体接合部と、前記屋根構体接合部と、前記補強部材接合部と、前記連結部とを、一枚の板材を一度に屈曲することにより形成する、請求項５に記載の鉄道車両用結合部材の製造方法。
【請求項７】
前記側構体接合部と、前記屋根構体接合部と、前記補強部材接合部と、前記連結部とを、線対称な一枚の板材を屈曲することにより形成する、請求項５又は６に記載の鉄道車両用結合部材の製造方法。
【発明の詳細な説明】
【技術分野】
【０００１】
本発明は、鉄道車両用結合部材及び鉄道車両用結合部材の製造方法に関する。
【背景技術】
【０００２】
鉄道車両の側面を構成する側構体と、鉄道車両の屋根を構成する屋根構体との結合を補強する鉄道車両用結合部材が知られている。例えば、特許文献１の鉄道車両の側構体では、側構体の縦骨部材の上端部には連結具が接合されている。連結具は断面略コ字状に形成される部材であり、両側面が縦骨部材に重ね接合される。連結部の両側面及び底面に上部接合具が連結される。上部接合具は、縦骨部材と屋根構体とを連結し接合するための金具である。上部接合具の上端部が屋根構体に接合されることにより、縦骨部材と屋根構体とが連結される。
【先行技術文献】
【特許文献】
【０００３】
【特許文献１】特許第６０５３５９２号公報
【発明の概要】
【発明が解決しようとする課題】
【０００４】
ところで、鉄道車両の剛性を高めるために、側構体及び屋根構体と一体化しつつ鉄道車両の前後の方向に延在する補強部材が設けられることがある。このような補強部材と側構体と屋根構体との結合を補強するための鉄道車両用結合部材を製造する場合は、鉄道車両用結合部材の部品数や溶接箇所が多くなり、製造の手間及びコストが増大する問題がある。
【０００５】
そこで本発明は、製造の手間及びコストを低減することができる鉄道車両用結合部材及び鉄道車両用結合部材の製造方法を提供することを目的とする。
【課題を解決するための手段】
【０００６】
本発明は、鉄道車両の側面を構成する側構体と、鉄道車両の屋根を構成する屋根構体と、側構体及び屋根構体の少なくともいずれかと一体化しつつ鉄道車両の前後の方向に延在する補強部材との結合を補強する鉄道車両用結合部材であって、側構体に接合される側構体接合部と、屋根構体に接合される屋根構体接合部と、補強部材に接合される補強部材接合部と、側構体接合部と屋根構体接合部と補強部材接合部とを互いに連結する連結部と、を備え、側構体接合部と屋根構体接合部と補強部材接合部と連結部とは一枚の板材が屈曲されることにより形成されている鉄道車両用結合部材である。
【０００７】
この構成によれば、鉄道車両の側面を構成する側構体と、鉄道車両の屋根を構成する屋根構体と、側構体及び屋根構体の少なくともいずれかと一体化しつつ鉄道車両の前後の方向に延在する補強部材との結合を補強する鉄道車両用結合部材であって、側構体に接合される側構体接合部と、屋根構体に接合される屋根構体接合部と、補強部材に接合される補強部材接合部と、側構体接合部と、屋根構体接合部と、補強部材接合部とを互いに連結する連結部とを備え、側構体接合部と屋根構体接合部と補強部材接合部と連結部とは一枚の板材が屈曲されることにより形成されているため、製造の手間及びコストを低減することができる。
【０００８】
この場合、側構体接合部と屋根構体接合部と補強部材接合部と連結部とは、一枚の板材が一度に屈曲されることにより形成されていることが好適である。
【０００９】
この構成によれば、側構体接合部と屋根構体接合部と補強部材接合部と連結部とは、一枚の板材が一度に屈曲されることにより形成されているため、製造の手間及びコストをさらに低減することができる。
【００１０】
また、側構体接合部と屋根構体接合部と補強部材接合部と連結部とは、線対称な一枚の板材が屈曲されることにより形成されていることが好適である。
【００１１】
この構成によれば、側構体接合部と屋根構体接合部と補強部材接合部と連結部とは、線対称な一枚の板材が屈曲されることにより形成されているため、板材の加工が容易であり、製造の手間及びコストをさらに低減することができる。
【００１２】
また、鉄道車両の前後の方向に互いに異なる位置で補強部材に接合される一対の補強部材接合部を備えることが好適である。
【００１３】
この構成によれば、鉄道車両の前後の方向に互いに異なる位置で補強部材に接合される一対の補強部材接合部を備えるため、補強部材との接合がより安定する。
【００１４】
また、本発明は、鉄道車両の側面を構成する側構体と、鉄道車両の屋根を構成する屋根構体と、側構体及び屋根構体の少なくともいずれかと一体化しつつ鉄道車両の前後の方向に延在する補強部材との結合を補強する鉄道車両用結合部材の製造方法であって、側構体に接合される側構体接合部と、屋根構体に接合される屋根構体接合部と、補強部材に接合される補強部材接合部と、側構体接合部と屋根構体接合部と補強部材接合部とを互いに連結する連結部とを、一枚の板材を屈曲することにより形成する鉄道車両用結合部材の製造方法である。
【００１５】
この場合、側構体接合部と屋根構体接合部と補強部材接合部と連結部とを、一枚の板材を一度に屈曲することにより形成することが好適である。
【００１６】
また、側構体接合部と屋根構体接合部と補強部材接合部と連結部とを、線対称な一枚の板材を屈曲することにより形成することが好適である。
【発明の効果】
【００１７】
本発明の鉄道車両用結合部材及び鉄道車両用結合部材の製造方法によれば、製造の手間及びコストを低減することができる。
【図面の簡単な説明】
【００１８】
【図１】実施形態の鉄道車両用結合部材を示す斜視図である。
【図２】（Ａ）は実施形態の鉄道車両用結合部材の正面図であり、（Ｂ）は実施形態の鉄道車両用結合部材の側面図であり、（Ｃ）は実施形態の鉄道車両用結合部材の平面図である。
【図３】実施形態の鉄道車両用結合部材の製造方法で用いられる一枚の板材を示す平面図である。
【発明を実施するための形態】
【００１９】
以下、図面を参照して、本発明の実施形態に係る鉄道車両用結合部材及び鉄道車両用結合部材の製造方法について説明する。図１に示すように、本実施形態の鉄道車両用結合部材１は、鉄道車両１００の側面を構成する側構体１０１と、鉄道車両１００の屋根を構成する屋根構体１０２と、側構体１０１及び屋根構体１０２の少なくともいずれかと一体化しつつ鉄道車両１００の前後の方向Ｄに延在する補強部材１０３との結合を補強する。本実施形態では、補強部材１０３は、側構体１０１の上端部又は屋根構体１０２の下端部の少なくともいずれかに配置され、側構体１０１の上端部と屋根構体１０２の下端部とを一体化しつつ鉄道車両１００の前後の方向Ｄに延在する。
【００２０】
図１、図２（Ａ）、図２（Ｂ）及び図２（Ｃ）に示すように、鉄道車両用結合部材１は、側構体に接合される側構体接合部１１と、屋根構体１０２に接合される屋根構体接合部１２と、補強部材１０３に接合される補強部材接合部１３Ｌ，１３Ｒと、側構体接合部１１と、屋根構体接合部１２と、補強部材接合部１３Ｌ，１３Ｒとを互いに連結する連結部１４とを備える。側構体接合部１１と、屋根構体接合部１２と、補強部材接合部１３Ｌ，１３Ｒと、連結部１４とは、一枚の板材２０が屈曲部１５，１６，１７で屈曲されることにより形成されている。板材２０は、例えば、厚さ１〜３ｍｍ程度であり、ＳＵＳ３０１Ｌ等により形成されている。鉄道車両用結合部材１は、全体として、鉄道車両１００の前後の方向Ｄに直交する鉄道車両１００の上下の方向に平行な対称軸Ｘに対して線対称である。
【００２１】
側構体接合部１１と、屋根構体接合部１２と、補強部材接合部１３Ｌ，１３Ｒと、連結部１４とは、一枚の板材２０が一度に屈曲部１５，１６，１７で屈曲されることにより形成されている。また、図３に示すように、側構体接合部１１と、屋根構体接合部１２と、補強部材接合部１３Ｌ，１３Ｒと、連結部１４とは、対称軸Ｘに対して、線対称な一枚の板材２０が屈曲されることにより形成されている。
【００２２】
図１、図２（Ａ）、図２（Ｂ）及び図２（Ｃ）に示すように、側構体接合部１１は、側構体１０１の側柱等にスポット溶接により接合される。側構体接合部１１と連結部１４との間の屈曲部１５の屈曲の角度は、側構体１０１と屋根構体１０２と補強部材１０３との位置関係により、適宜、設定される。屋根構体接合部１２は、屋根構体１０２の下端部等に一対の栓溶接部１２Ｗにおいて栓溶接により接合される。屋根構体１０２において屋根構体接合部１２が回転せずに最小限の溶接箇所で接合されるように、屋根構体接合部１２は一対の栓溶接部１２Ｗを有することが好適である。なお、側構体１０１と屋根構体１０２と補強部材１０３との位置関係により、屋根構体接合部１２と連結部１４との間にも、任意の角度で屈曲する屈曲部が設けられてもよい。
【００２３】
鉄道車両用結合部材１は、鉄道車両１００の前後の方向Ｄに互いに異なる位置で補強部材１０３に接合される一対の補強部材接合部１３Ｌ，１３Ｒを備える。補強部材接合部１３Ｌ，１３Ｒのそれぞれは、補強部材１０３に１つの栓溶接部１３Ｗにおいて栓溶接により接合される。補強部材１０３において補強部材接合部１３Ｌ，１３Ｒが回転せずに最小限の溶接箇所で接合されるように、補強部材接合部１３Ｌ，１３Ｒは合わせて一対の栓溶接部１３Ｗを有することが好適である。鉄道車両用結合部材１は、補強部材接合部１３Ｌ，１３Ｒのそれぞれと連結部１４との間に２つの屈曲部１６，１７を備える。２つの屈曲部１６，１７はそれぞれ反対方向に略９０°の角度で屈曲している。
【００２４】
以下、本発明の実施形態に係る鉄道車両用結合部材の製造方法について説明する。図３に示すように、側構体１０１に接合される側構体接合部１１と、屋根構体１０２に接合される屋根構体接合部１２と、補強部材１０３に接合される補強部材接合部１３Ｌ，１３Ｒと、側構体接合部１１と屋根構体接合部１２と補強部材接合部１３Ｌ，１３Ｒとを互いに連結する連結部１４とを形成するために、一枚の厚さ１〜３ｍｍのＳＵＳ３０１Ｌ等の板材２０が切断加工される。板材２０には、屈曲部１５，１６，１７が設定される。また、板材２０には、栓溶接部１２Ｗ，１３Ｗが穿設される。板材２０は、対称軸Ｘに対して線対称である。
【００２５】
図２（Ａ）、図２（Ｂ）及び図２（Ｃ）に示すように、側構体接合部１１と、屋根構体接合部１２と、補強部材接合部１３Ｌ，１３Ｒと、連結部１４とが、一枚の板材２０を一度に屈曲部１５，１６，１７で所定の角度にプレス曲げ加工により屈曲することによって形成される。側構体接合部１１と、屋根構体接合部１２と、補強部材接合部１３Ｌ，１３Ｒと、連結部１４とは、対称軸Ｘに対して線対称な一枚の板材２０を屈曲することにより形成される。なお、製造の状況に応じて、屈曲部１５，１６，１７がそれぞれ別個に異なる時間に屈曲されてもよい。
【００２６】
本実施形態によれば、鉄道車両１００の側面を構成する側構体１０１と、鉄道車両１００の屋根を構成する屋根構体１０２と、側構体１０１及び屋根構体１０２の少なくともいずれかと一体化しつつ鉄道車両１００の前後の方向Ｄに延在する補強部材１０３との結合を補強する鉄道車両用結合部材１であって、側構体１０１に接合される側構体接合部１１と、屋根構体１０２に接合される屋根構体接合部１２と、補強部材１０３に接合される補強部材接合部１３Ｌ，１３Ｒと、側構体接合部１１と、屋根構体接合部１２と、補強部材接合部１３Ｌ，１３Ｒとを互いに連結する連結部１４とを備え、側構体接合部１１と屋根構体接合部１２と補強部材接合部１３Ｒ，１３Ｌと連結部１４とは一枚の板材２０が屈曲されることにより形成されているため、製造の手間及びコストを低減することができる。
【００２７】
また、本実施形態によれば、側構体接合部１１と屋根構体接合部１２と補強部材接合部１３Ｌ，１３Ｒと連結部１４とは、一枚の板材２０が一度に屈曲されることにより形成されているため、製造の手間及びコストをさらに低減することができる。
【００２８】
また、本実施形態によれば、側構体接合部１１と屋根構体接合部１２と補強部材接合部１３Ｌ，１３Ｒと連結部１４とは、線対称な一枚の板材２０が屈曲されることにより形成されているため、板材２０の加工が容易であり、製造の手間及びコストをさらに低減することができる。
【００２９】
また、本実施形態によれば、鉄道車両１００の前後の方向Ｄに互いに異なる位置で補強部材１０３に接合される一対の補強部材接合部１３Ｌ，１３Ｒを備えるため、補強部材１０３との接合がより安定する。加えて、本実施形態では、一対の補強部材接合部１３Ｌ，１３Ｒのそれぞれと連結部１４との間における屈曲部１６と屈曲部１７との間が合計で２枚の板材２０により補強されるため、屋根構体１０２の変形抑制と側構体１０１に対する側面衝突に対する耐久性の向上とを図ることができる。さらに、栓溶接部１２Ｗ，１３Ｗは、合計で最小限の４箇所しかないため、溶接作業も低減される。
【００３０】
尚、本発明は、上記した実施の形態に限定されるものではなく、本発明の実施形態の要旨を逸脱しない範囲内において種々変更を加え得ることは勿論である。例えば、鉄道車両用結合部材１が１枚の板材が屈曲されることにより形成されている限りにおいて、側構体接合部１１、屋根構体接合部１２、補強部材接合部１３Ｒ，１３Ｌ及び連結部１４の形状は適宜変更されてもよい。例えば、補強部材接合部１３Ｒ，１３Ｌは、１つだけでもよく、３つ以上でもよい。
【符号の説明】
【００３１】
１…鉄道車両用結合部材、１１…側構体接合部、１２…屋根構体接合部、１２Ｗ…栓溶接部、１３Ｌ，１３Ｒ…補強部材接合部、１３Ｗ…栓溶接部、１４…連結部、１５，１６，１７…屈曲部、２０…板材、１００…鉄道車両、１０１…側構体、１０２…屋根構体、１０３…補強部材、Ｄ…方向、Ｘ…対称軸。
【図１】
2020097264.tif 000003
【図２】
2020097264.tif 000004
【図３】
2020097264.tif 000005